(57)【要約】【課題】看護手順に沿って適切に看護が実行されているかどうかを判定することを課題とする。【解決手段】看護手順判定装置は、発行済みのオーダに対応する看護が実施されると、看護手順に従って看護が実施されているか否かを判定する。そして、判定の結果、看護手順に従って看護が実施されていない場合には、実施された看護が緊急性を要する処置に関するものであるか否かを判定する。判定の結果、緊急性を要する処置に関するものである場合には、緊急性を要する看護内容に関するものであったことを裏付ける理由を登録する。【選択図】図１
2010224697.tif 000002
【特許請求の範囲】
【請求項１】
患者への看護を実行する場合に遵守すべき看護手順および当該看護手順の進捗状況を記憶する看護手順記憶部と、
患者への看護実施に関して発行されたオーダの内容を記憶するオーダ内容記憶部と、
前記オーダに紐づく看護の実施完了を検知した場合に、前記オーダの発行対象である患者についての看護手順の進捗状況を前記看護手順記憶部から取得して、前記実施完了を検知した看護が看護手順に従ったものであるか否かを判定する看護手順判定部と、
前記実施完了を検知した看護が看護手順に従ったものではないと前記看護手順判定部により判定された場合には、前記実施完了を検知した看護に紐づくオーダの内容を前記オーダ内容記憶部から取得して、前記実施完了を検知した看護が緊急性を要するものであったか否かを判定する看護内容判定部と、
前記実施完了を検知した看護が緊急性を要するものであると前記看護内容判定部により判定された場合には、緊急性を要するものであったことを裏付ける理由として、前記実施完了を検知した看護に紐づくオーダの内容を前記看護手順記憶部に記憶されている前記発行対象である患者のレコードに関連付けて登録する登録部と、
前記実施完了を検知した看護が緊急性を要するものではないと前記看護内容判定部により判定された場合には、前記実施完了を検知した看護が看護手順に従ったものではない旨の警告を出力するとともに、前記看護手順に従わなかった理由を要求する警告出力部と
を有することを特徴とする看護手順判定装置。
【請求項２】
前記オーダ記憶部は、前記オーダの内容に対応付けて、オーダの内容に紐づく看護が実施済みであるか否かを示す実施状況情報をさらに記憶し、
患者に対して発行済みであるオーダの取得要求を受け付けた場合に、取得要求されたオーダの内容と前記実施状況情報とを前記オーダ内容記憶部から取得して、取得したオーダ内容と前記実施状況情報とを関連付けて、前記発行済みであるオーダの取得要求元に応答するオーダ内容応答部をさらに有することを特徴とする請求項１に記載の看護手順判定装置。
【請求項３】
前記オーダに紐づく看護の実施完了を検知した場合に、患者への看護を実行する場合に遵守すべき看護手順および当該看護手順の進捗状況を記憶する看護手順記憶部から、前記オーダの発行対象である患者についての看護手順の進捗状況を取得して、前記実施完了を検知した看護が看護手順に従ったものであるか否かを判定する看護手順判定手順と、
前記実施完了を検知した看護が看護手順に従ったものではないと前記看護手順判定手順により判定された場合には、患者への看護実施に関して発行されたオーダの内容を記憶するオーダ内容記憶部から、前記実施完了を検知した看護に紐づくオーダの内容を取得して、前記実施完了を検知した看護が緊急性を要するものであったか否かを判定する看護内容判定手順と、
前記実施完了を検知した看護が緊急性を要するものであると前記看護内容判定手順により判定された場合には、緊急性を要するものであったことを裏付ける理由として、前記実施完了を検知した看護に紐づくオーダの内容を前記看護手順記憶部に記憶されている前記発行対象である患者のレコードに関連付けて登録する登録手順と、
前記実施完了を検知した看護が緊急性を要するものではないと前記看護内容判定手順により判定された場合には、前記実施完了を検知した看護が看護手順に従ったものではない旨の警告を出力するとともに、前記看護手順に従わなかった理由を要求する警告出力手順と
をコンピュータに実行させることを特徴とする看護手順判定プログラム。
【発明の詳細な説明】
【技術分野】
【０００１】
本発明は、看護手順判定装置および看護手順判定プログラムに関する。
【背景技術】
【０００２】
従来、病院やクリニックなどでは、看護指示や看護計画に基づいて適切な看護を実行する試みがなされている。例えば、ＰＤＡ（Personal Digital Assistant）などの端末を看護師に携帯させ、看護師がＰＤＡを操作して看護指示や看護計画を確認できるようにすることで、適切な看護が実行できるようにする技術も存在する。
【先行技術文献】
【特許文献】
【０００３】
【特許文献１】特開２００６−１３３９０８号公報
【発明の概要】
【発明が解決しようとする課題】
【０００４】
ところで、看護師は、あらかじめ定められた看護手順に沿って看護に関わる作業を実行するが、看護手順に沿って看護に関わる作業が適切に実行されているかどうかを判定する仕組みが存在しない。
【０００５】
開示の技術は、上記に鑑みてなされたものであって、看護手順に沿って適切に看護が実行されているかどうかを判定することが可能な看護手順判定装置および看護手順判定プログラムを提供することを目的とする。
【課題を解決するための手段】
【０００６】
本願の開示する技術は、一つの態様において、患者への看護を実行する場合に遵守すべき看護手順および当該看護手順の進捗状況を記憶する看護手順記憶部と、患者への看護実施に関して発行されたオーダの内容を記憶するオーダ内容記憶部と、前記オーダに紐づく看護の実施完了を検知した場合に、前記オーダの発行対象である患者についての看護手順の進捗状況を前記看護手順記憶部から取得して、前記実施完了を検知した看護が看護手順に従ったものであるか否かを判定する看護手順判定部と、前記実施完了を検知した看護が看護手順に従ったものではないと前記看護手順判定部により判定された場合には、前記実施完了を検知した看護に紐づくオーダの内容を前記オーダ内容記憶部から取得して、前記実施完了を検知した看護が緊急性を要するものであったか否かを判定する看護内容判定部と、前記実施完了を検知した看護が緊急性を要するものであると前記看護内容判定部により判定された場合には、緊急性を要するものであったことを裏付ける理由として、前記実施完了を検知した看護に紐づくオーダの内容を前記看護手順記憶部に記憶されている前記発行対象である患者のレコードに関連付けて登録する登録部と、前記実施完了を検知した看護が緊急性を要するものではないと前記看護内容判定部により判定された場合には、前記実施完了を検知した看護が看護手順に従ったものではない旨の警告を出力するとともに、前記看護手順に従わなかった理由を要求する警告出力部とを有する。
【発明の効果】
【０００７】
本願の開示する技術の一つの態様によれば、看護手順に沿って適切に看護が実行されているかどうかを判定でき、看護の質を向上できる。
【図面の簡単な説明】
【０００８】
【図１】図１は、実施例１に係る看護手順判定装置の構成を示す図である。
【図２】図２は、看護過程を説明するための図である。
【図３】図３は、看護過程を説明するための図である。
【図４】図４は、実施例１に係る看護実施手順記憶部に記憶される情報の構成例を示す図である。
【図５】図５は、実施例１に係る電子カルテ情報記憶部に記憶される情報の構成例を示す図である。
【図６】図６は、実施例１に係る緊急薬品情報記憶部に記憶される情報の構成例を示す図である。
【図７】図７は、実施例１に係る緊急接続機器情報記憶部に記憶される情報の構成例を示す図である。
【図８】図８は、実施例１に係る看護手順判定装置による処理の流れを示す図である。
【図９】図９は、実施例２に係る発行済みオーダ内容の提供例を示す図である。
【図１０】図１０は、看護手順判定プログラムを実行するコンピュータを示す図である。
【発明を実施するための形態】
【０００９】
以下に、図面を参照しつつ、本願の開示する看護手順判定装置および看護手順判定プログラムの一実施形態について詳細に説明する。なお、看護手順判定装置の一実施形態として後述する実施例１により、本願が開示する看護手順判定装置が限定されるものではない。
【実施例１】
【００１０】
実施例１に係る看護手順判定装置は、看護師による看護を支援することを概要とする。そして、実施例１に係る看護手順判定装置の骨子は、次に説明する点にある。
【００１１】
すなわち、実施例１に係る看護手順判定装置は、発行済みのオーダに対応する看護が実施されると、看護手順に従って看護が実施されているか否かを判定する。そして、判定の結果、看護手順に従って看護が実施されていない場合には、実施された看護が緊急性を要する処置に関するものであるか否かを判定する。判定の結果、緊急性を要する処置に関するものである場合には、緊急性を要する看護内容に関するものであったことを裏付ける理由を登録する。このようにして、看護手順に沿って適切に看護が実行されているかどうかを簡易に判定するとともに、看護の質の向上を図る。以下、実施例１に係る看護手順判定装置について具体的に説明する。
【００１２】
［看護手順判定装置の構成（実施例１）］
図１は、実施例１に係る看護手順判定装置の構成を示す図である。実施例１に係る看護手順判定装置２００は、患者の入院から退院に至るまでに看護師が実施する看護過程において、看護師が遵守すべき看護手順に従っているか否かを管理する。
【００１３】
以下、看護過程の一例について簡単に説明する。図２および図３は、看護過程を説明するための図である。図２に示すように、入院決定→情報収集→診断・計画・オーダ→看護実践→看護記録→評価という各過程で構成される看護過程において、看護師が所定の看護手順に従って看護を行う。
【００１４】
患者の入院が決定すると（図２の（１）参照）、看護師は、例えば、図３に示すように、電子カルテ端末を用いて、患者のプロファイルを登録するとともに、仮診断を行って、仮診断の内容を登録する（図２の（２））。次に、看護師は、電子カルテ端末を用いて、看護計画を立案し（図２の（３）参照）、看護オーダを発行する（図２の（４）参照）。
【００１５】
看護師は、医師の指示を確認し（図２の（５）参照）、電子カルテ端末を用いて、ワークシートを用途に応じ、選択・出力する（図２の（６）参照）。続いて、看護師は、電子カルテ端末を用いて、患者スケジュール／診療カレンダより実施入力を行う（図２の（７）参照）。
【００１６】
そして、看護師は、電子カルテ端末を用いて、経過表に経過記録を入力し（図２の（８）参照）、フォーカスおよびＳＯＡＰ記録を行い（図２の（９）参照）、看護サマリを作成する（図２の（１０）参照）。看護師長は、電子カルテ端末を用いて、看護サマリを評価し、評価結果を登録する。以上が、看護過程の一例である。
【００１７】
そして、図１に示すように、実施例１に係る看護手順判定装置２００は、入出力制御部２１０、記憶部２２０および制御部２３０を有する。入出力制御部２１０は、各種情報の入出力を制御する。
【００１８】
記憶部２２０は、制御部２３０による各種処理に必要なデータおよびプログラムを記憶する。そして、記憶部２２０は、図１に示すように、看護実施手順記憶部２２１と、電子カルテ情報記憶部２２２と、緊急薬品情報記憶部２２３と、緊急接続機器情報記憶部２２４とを有する。
【００１９】
看護実施手順記憶部２２１は、患者への看護を実行する場合に遵守すべき看護手順および看護手順の進捗状況を記憶する。具体的には、例えば、図４に示すように、患者に一意に付与される患者ＩＤに対応付けて、手順Ｎｏ．と、看護内容と、受付時間と、完了判定フラグと、緊急フラグと、理由とを記憶する。
【００２０】
ここで、手順Ｎｏ．とは、患者への看護を実行する場合に遵守すべき看護手順の順番を表す。看護内容とは、看護手順に従って患者に対して実施する看護内容である。受付時間とは、オーダされた看護の実施完了を示す情報の受付時間である。完了判定フラグとは、オーダされた看護の実施完了を示す情報であり、例えば、「○」というフラグが挿入されていれば、看護が実施完了していることを示し、「×」というフラグが挿入されていれば、看護が未実施であることを示す。
【００２１】
緊急フラグとは、実施された看護内容が緊急性を要するものであったことを示す情報であり、例えば、「１」というフラグが挿入されていれば、緊急性を要するものであったことを示す。理由とは、看護手順に従って看護が実施されなかった理由として登録された情報であり、例えば、「緊急注射」などの理由が登録される。なお、図４は、実施例１に係る看護実施手順記憶部に記憶される情報の構成例を示す図である。
【００２２】
電子カルテ情報記憶部２２２は、患者への看護実施に関して発行されたオーダの内容を記憶する。具体的には、例えば、図５に示すように、患者ＩＤに対応付けて、オーダＮｏ．と、オーダ内容と、オーダ時間と、実施フラグと、薬品名と、機器名とを記憶する。
【００２３】
ここで、オーダＮｏ．とは、電子カルテ端末などから受け付けられた順番で看護実施に関するオーダに付与される番号を表す。オーダ内容は、オーダされた看護の内容を表す。オーダ時間は、オーダの受付時間を表す。実施フラグは、オーダとして発行された看護の実施完了が検知されたことを示す情報を表し、例えば、初期値は「０（未実施）」であり、看護の実施完了が検知されると「１（実施）」に更新される。
【００２４】
薬品名は、看護実施に関するオーダとともに発注された薬品名を表す。機器名は、看護実施に関するオーダとともに発注された接続機器名を表す。図５は、実施例１に係る電子カルテ情報記憶部に記憶される情報の構成例を示す図である。
【００２５】
緊急薬品情報記憶部２２３は、例えば、図６に示すように、患者の容態の急変時に利用する薬品の情報を記憶する。緊急接続機器情報記憶部２２４は、例えば、図７に示すように、患者の容態の急変時に、患者の体に接続して利用する医療機器の情報を記憶する。図６は、実施例１に係る緊急薬品情報記憶部に記憶される情報の構成例を示す図である。図７は、実施例１に係る緊急接続機器情報記憶部に記憶される情報の構成例を示す図である。
【００２６】
制御部２３０は、所定の制御プログラム、各種の処理手順などを規定したプログラムおよび所要データを格納するための内部メモリを有し、これらによって種々の処理を実行する。そして、制御部２３０は、図１に示すように、看護手順判定処理部２３１および緊急度判定処理部２３２を有する。
【００２７】
看護手順判定処理部２３１は、看護の実施完了通知を受け付けると、実施完了を検知した看護が看護手順に従ったものであるか否かを判定する。なお、具体的な処理内容については、後述する看護手順判定装置２００の処理の流れ（図８）の中で説明する。
【００２８】
緊急度判定処理部２３２は、看護手順判定処理部２３１により、実施完了を検知した看護が看護手順に従ったものではないと判定された場合に、実施完了を検知した看護が緊急性を要するものであったか否かを判定する。なお、具体的な処理内容については、後述する看護手順判定装置２００の処理の流れ（図８）の中で説明する。
【００２９】
また、制御部２３０は、看護師等から看護の実施完了を受け付けると、実施完了した看護内容および対象患者について、電子カルテ情報記憶部２２２に記憶されている実施フラグを「０（未実施）」から「１（実施）」に更新する。そして、制御部２３０は、実施完了した看護内容および対象患者の患者ＩＤを含んだ実施完了通知を看護手順判定処理部２３１に送出する。
【００３０】
［看護手順判定装置による処理（実施例１）］
図８は、実施例１に係る看護手順判定装置による処理の流れを示す図である。なお、以下では、図１に示す看護手順判定処理部２３１および緊急度判定処理部２３２による具体的な処理の内容について説明する。
【００３１】
図８に示すように、看護手順判定処理部２３１は、看護の実施完了通知を受け付けると（ステップＳ１肯定）、実施完了通知に含まれる患者ＩＤおよび看護内容をキーとして、看護実施手順記憶部２２１に記憶されている完了判定フラグを登録する（ステップＳ２）。
【００３２】
具体的には、看護手順判定処理部２３１は、実施完了通知に含まれる患者ＩＤ「９８００６１」および看護内容「実施」をキーとして、看護実施手順記憶部２２１内の完了判定フラグに「○」を登録する。
【００３３】
そして、看護手順判定処理部２３１は、看護実施手順記憶部２２１から該当患者の看護実施手順を取得して（ステップＳ３）、看護手順に従って該当患者の看護が実施されているか否かを判定する（ステップＳ４）。
【００３４】
具体的には、看護手順判定処理部２３１は、患者ＩＤ「９８００６１」をキーとして、ただいま完了判定フラグの登録を行った手順Ｎｏ．６の一つ前、すなわち手順Ｎｏ．５の完了判定フラグを看護実施手順記憶部２２１から取得する。
【００３５】
そして、看護手順判定処理部２３１は、取得した手順Ｎｏ．５の完了判定フラグが「○」と「×」のどちらであるかを確認して、看護手順に従って、該当患者の看護が実施されているか否かを判定する。
【００３６】
例えば、図４に示す場合には、看護手順判定処理部２３１は、確認の結果、Ｎｏ．５の完了判定フラグが「×」であるので、看護手順に従って、該当患者の看護が実施されていないものと判定することとなる。
【００３７】
看護手順に従って該当患者の看護が実施されていないものと看護手順判定処理部２３１により判定された場合には（ステップＳ４否定）、緊急度判定処理部２３２は、実施完了通知に含まれる患者ＩＤおよび実施完了通知の受付時間をキーとして、該当患者への発行済みのオーダ内容を電子カルテ情報記憶部２２２から取得するとともに、薬品情報および機器情報を緊急薬品情報記憶部２２３および緊急接続機器情報記憶部２２４からそれぞれ取得する（ステップＳ５）。
【００３８】
そして、緊急度判定処理部２３２は、実施完了通知に含まれる看護内容が緊急性のあるものであるか否か、電子カルテ情報記憶部２２２から取得したオーダ内容に、緊急薬品あるいは緊急接続機器が含まれているか否かを判定する（ステップＳ６）。
【００３９】
例えば、図５に示す場合には、緊急度判定処理部２３２は、「注射オーダ発行」というオーダ内容に、緊急薬品である「Ｂ」が含まれているので、実施完了通知に含まれる看護内容が緊急性のあるものであると判定することとなる。
【００４０】
電子カルテ情報記憶部２２２から取得したオーダ内容に、緊急薬品あるいは緊急接続機器が含まれているものと緊急度判定処理部２３２により判定された場合には（ステップＳ６肯定）、看護手順判定処理部２３１は、看護手順に従って、該当患者の看護が実施されなかった理由等を看護実施手順記憶部２２１の該当患者のレコードに関連付けて登録し、看護実施手順を更新する（ステップＳ７）。
【００４１】
例えば、図４に示す場合には、看護手順判定処理部２３１は、看護実施手順記憶部２２１の該当患者の手順Ｎｏ．２〜Ｎｏ．５に対応する理由の項目に、看護手順に従って、該当患者の看護が実施されなかった理由「緊急注射」および緊急薬品名「Ｂ」を登録することとなる。
【００４２】
電子カルテ情報記憶部２２２から取得したオーダ内容に、緊急薬品あるいは緊急接続機器が含まれていないものと緊急度判定処理部２３２により判定された場合には（ステップＳ６否定）、看護手順判定処理部２３１は、看護手順に従っていないことを警告するとともに、看護手順に従わなかった理由を要求する（ステップＳ８）。
【００４３】
そして、看護手順判定処理部２３１は、看護手順に従わなかった理由を看護実施手順記憶部２２１の該当患者のレコードに関連付けて登録し、看護実施手順を更新する（ステップＳ９）。例えば、看護手順に従わなかった理由としては、手順の忘却などが考えられる。
【００４４】
ここで、ステップＳ４の説明に戻ると、看護手順に従って該当患者の看護が実施されているものと看護手順判定処理部２３１により判定された場合には（ステップＳ４肯定）、緊急度判定処理部２３２は、上述したステップＳ１に戻り、次の実施完了通知の受付を待機する。
【００４５】
［実施例１による効果］
上述してきたように、実施例１によれば、看護手順判定装置２００は、発行済みのオーダに対応する看護が実施されると、看護手順に従って看護が実施されているか否かを判定する。そして、判定の結果、看護手順に従って看護が実施されていない場合には、実施された看護が緊急性を要する処置に関するものであるか否かを判定する。判定の結果、緊急性を要する処置に関するものである場合には、緊急性を要する看護内容に関するものであったことを裏付ける理由を登録する。
【００４６】
このようなことから、看護手順に沿って適切に看護が実行されているかどうかを簡易に判定できるとともに、看護手順に従わなかった理由を残すことで、看護の質の向上を図ることができる。
【実施例２】
【００４７】
また、上記の実施例１において、例えば、図９に示すように、看護手順判定装置２００は、看護師からの要求に応じて、看護師が看護を実行する患者に対して発行済みの当日のオーダ内容をリマインダとして提供するようにしてもよい。
【００４８】
例えば、看護手順判定装置２００は、患者に対して発行済みであるオーダの取得要求を受け付けると、取得要求されたオーダの内容および実施フラグを電子カルテ情報記憶部２２２から取得する。そして、看護手順判定装置２００は、図９に示すように、オーダ内容を実施状況別に提供する。
【００４９】
また、看護手順判定装置２００は、図９に示すように、患者に対して発行済みの当日のオーダ内容だけでなく、期限が超過して、実施されていないオーダの内容を未実施オーダとして提供することもできる。図９は、実施例２に係る発行済みオーダ内容の提供例を示す図である。
【００５０】
このようなことから、看護師によるオーダの忘却を防止することができ、看護の質を保つことができる。
【実施例３】
【００５１】
以下、本願の開示する看護手順判定装置および看護手順判定プログラムの他の実施形態を説明する。
【００５２】
（１）装置構成等
図１に示した看護手順判定装置２００の各構成要素は機能概念的なものであり、必ずしも物理的に図示の如く構成されていることを要しない。すなわち、看護手順判定装置２００の分散・統合の具体的形態は図示のものに限られず、例えば、看護手順判定処理部２３１および緊急度判定処理部２３２を機能的あるいは物理的に統合する。
【００５３】
このように、看護手順判定装置２００の全部または一部を、各種の負荷や使用状況などに応じて、任意の単位で機能的または物理的に分散・統合して構成することができる。さらに、看護手順判定装置２００にて行なわれる各処理機能（図８等参照）は、その全部または任意の一部が、ＣＰＵおよび当該ＣＰＵにて解析実行されるプログラムにて実現され、あるいは、ワイヤードロジックによるハードウェアとして実現され得る。
【００５４】
（２）看護手順判定プログラム
また、上記の実施例１で説明した看護手順判定装置２００の各種の処理（例えば、図８参照）は、あらかじめ用意されたプログラムをパーソナルコンピュータやワークステーションなどのコンピュータシステムで実行することによって実現することができる。
【００５５】
そこで、以下では、図１０を用いて、上記の実施例で説明した看護手順判定装置２００と同様の機能を有する看護支援プログラムを実行するコンピュータの一例を説明する。
【００５６】
図１０は、看護手順判定プログラムを実行するコンピュータを示す図である。なお、同図には、看護手順判定プログラムの実行するコンピュータを説明するために必要となる機能部を記載する。
【００５７】
同図に示すように、看護手順判定装置２００としてコンピュータ３００は、入出力制御部３１０、ＨＤＤ３２０、ＲＡＭ３３０およびＣＰＵ３４０をバス４００で接続して構成される。
【００５８】
ここで、入出力制御部３１０は、各種情報の入出力を制御する。ＨＤＤ３２０は、ＣＰＵ３４０による各種処理の実行に必要な情報を記憶する。ＲＡＭ３３０は、各種情報を一時的に記憶する。ＣＰＵ３４０は、各種演算処理を実行する。
【００５９】
そして、ＨＤＤ３２０には、図１０に示すように、図１に示した看護手順判定装置２００の各処理部と同様の機能を発揮する看護手順判定プログラム３２１と、看護手順判定用データ３２２とがあらかじめ記憶されている。なお、この看護手順判定プログラム３２１を適宜分散させて、ネットワークを介して通信可能に接続された他のコンピュータの記憶部に記憶させておくこともできる。
【００６０】
そして、ＣＰＵ３４０が、この看護手順判定プログラム３２１をＨＤＤ３２０から読み出してＲＡＭ３３０に展開することにより、図１０に示すように、看護手順判定プログラム３２１は看護手順判定プロセス３３１として機能するようになる。すなわち、看護手順判定プロセス３３１は、看護手順判定用データ３２２等をＨＤＤ３２０から読み出して、ＲＡＭ３３０において自身に割り当てられた領域に展開し、この展開したデータ等に基づいて各種処理を実行する。
【００６１】
なお、看護手順判定プロセス３３１は、図１に示した看護手順判定装置２００の制御部２３０（例えば、看護手順判定処理部２３１および緊急度判定処理部２３２）において実行される処理に対応する。
【００６２】
なお、上記した看護手順判定プログラム３２１については、必ずしも最初からＨＤＤ３２０に記憶させておく必要はない。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」などに各プログラムを記憶させておき、コンピュータ３００がこれらから各プログラムを読み出して実行するようにしてもよい。
【００６３】
さらには、公衆回線、インターネット、ＬＡＮ、ＷＡＮなどを介してコンピュータ３００に接続される「他のコンピュータ（またはサーバ）」などに上記した看護手順判定プログラム３２１を記憶させておき、コンピュータ３００がこれらから各プログラムを読み出して実行するようにしてもよい。
【符号の説明】
【００６４】
２００  看護手順判定装置
２１０  入出力制御部
２２０  記憶部
２２１  看護実施手順記憶部
２２２  電子カルテ情報記憶部
２２３  緊急薬品情報記憶部
２２４  緊急接続機器情報記憶部
２３０  制御部
２３１  看護手順判定処理部
２３２  緊急度判定処理部
３００  コンピュータ
３１０  入出力制御部
３２０  ＨＤＤ（Hard Disk Drive）
３２１  看護手順判定プログラム
３２２  看護手順判定用データ
３３０  ＲＡＭ（Random Access Memory）
３３１  看護手順判定プロセス
３４０  ＣＰＵ（Central Processing Unit）
４００  バス
【図１】
2010224697.tif 000003
【図２】
2010224697.tif 000004
【図３】
2010224697.tif 000005
【図４】
2010224697.tif 000006
【図５】
2010224697.tif 000007
【図６】
2010224697.tif 000008
【図７】
2010224697.tif 000009
【図８】
2010224697.tif 000010
【図９】
2010224697.tif 000011
【図１０】
2010224697.tif 000012